(57)【特許請求の範囲】
【請求項１】
正面パネルに表示部が配設された装置本体と、当該装置本体を支持する複数の支持部材とを備えて、前記正面パネルを上向きにした状態で前記各支持部材によって前記装置本体を支持する第１の設置姿勢と、前記正面パネルを横向きにした状態で前記各支持部材によって前記装置本体を支持する第２の設置姿勢との少なくとも２つの姿勢で当該装置本体を設置可能に構成された測定装置であって、
前記各支持部材は、前記装置本体の背面パネルに取り付けられた背面側部材を備え、当該各支持部材のうちの少なくとも前記第２の設置姿勢において前記装置本体を支持する支持部材は、当該装置本体の前記正面パネルに取り付けられた正面側部材を備えると共に、当該背面パネルからの当該背面側部材の突出量、および当該正面パネルからの当該正面側部材の突出量の少なくとも一方を調整することで当該背面側部材において当該第２の設置姿勢で設置面に接する部位と当該正面側部材において当該第２の設置姿勢で当該設置面に接する部位との間の長さを調節可能に構成されている測定装置。
【請求項２】
少なくとも前記第２の設置姿勢において前記装置本体を支持する前記支持部材は、前記背面パネルからの前記背面側部材の突出量、および前記正面パネルからの前記正面側部材の突出量の双方を調整可能に構成されている請求項１記載の測定装置。
【請求項３】
少なくとも前記第２の設置姿勢において前記装置本体を支持する前記支持部材の前記背面側部材は、前記装置本体に形成された背面側取付部に対して着脱自在に構成され、
前記装置本体の前記背面パネルには、前記背面側部材の取り付け位置を前記第２の設置姿勢における上下方向で調整可能に複数の前記背面側取付部が形成されている請求項１または２記載の測定装置。
【請求項４】
前記正面側部材のうちの少なくとも１つは、前記装置本体に形成された正面側取付部および側面側取付部に対して着脱自在に構成され、
前記装置本体の前記正面パネルには、前記少なくとも１つの正面側部材を着脱可能な前記正面側取付部が形成されると共に、当該装置本体における前記第２の設置姿勢において前記設置面と対向する側面パネルには、前記少なくとも１つの正面側部材を着脱可能な前記側面側取付部が形成されている請求項３記載の測定装置。
【請求項５】
少なくとも前記第２の設置姿勢において前記装置本体を支持する前記支持部材は、前記第２の設置姿勢における前記正面パネルの上下方向の中心と前記背面側部材において当該第２の設置姿勢で前記設置面に接する部位との当該正面パネルの延在方向に沿った第１の長さよりも、前記正面パネルの上下方向の中心と前記正面側部材において前記第２の設置姿勢で前記設置面に接する部位との当該正面パネルの延在方向に沿った第２の長さの方が長くなるように形成されている請求項１から４のいずれかに記載の測定装置。
【請求項６】
前記支持部材が取り付けられた前記装置本体を収容可能に構成されると共に、前記各背面側部材の少なくとも先端部を嵌め込み可能な嵌入穴が一面に形成された収容ケースを備えている請求項１から５のいずれかに記載の測定装置。
【発明の詳細な説明】
【技術分野】
【０００１】
本発明は、表示部が配設された正面パネルを上向きにした状態および横向きにした状態のいずれかの設置姿勢で設置可能に構成された測定装置に関するものである。
【背景技術】
【０００２】
この種の測定装置として、薄厚箱状の本体部分における表面（正面）に表示部が配設されると共に、コ字状のスタンドを本体部分に対して回動可能に取り付けたスタンドつき携帯型測定器（以下、「測定器」ともいう）が特開平９−３１８７７７号公報に開示されている。この測定器では、収納時や携行時などにおいては、本体部分の側面パネルに沿わせるようにしてスタンドを収納する。この場合、この測定器では、表示部が配設されている正面パネルを上向きにした状態で使用する際には、スタンドを収納した状態において本体部分の背面パネルを設置面に接触させるようにして設置する。これにより、利用者の目線の高さに対して測定器の設置面が低い場合における表示部の視認性を向上させることが可能となっている。また、この測定器では、正面パネルを斜め上向き（真横向きよりも上向き）にした状態で使用する際には、スタンドを本体部分から引き起こして本体部分とスタンドとが側面視ハ字状となるようにして設置する。これにより、利用者の目線の高さに対して測定器の設置面がやや高い場合においても表示部の視認性を向上させることが可能となっている。
【特許文献１】特開平９−３１８７７７号公報（第２−３頁、第１−３図）
【発明の開示】
【発明が解決しようとする課題】
【０００３】
ところが、従来の測定器には、以下の問題点がある。すなわち、従来の測定器では、本体部分からスタンドを引き起こした状態で設置することによって正面パネルを斜め上向きにした状態で使用することが可能に構成されている。この場合、この種の測定器（測定装置）を使用した測定処理に際しては、利用者の目線の高さと同程度の高さの設置面、または、目線の高さよりもやや高い設置面（例えば、収納棚の棚板の上）に測定器を設置することがある。しかしながら、従来の測定器では、スタンドを収納した状態で設置することによって正面パネルを上向きにした設置姿勢と、スタンドを引き起こした状態で設置することによって正面パネルを斜め上向きにした設置姿勢とのいずれかのみしか選択することができない構成となっている。したがって、従来の測定器では、例えば、利用者の目線の高さと同程度の高さの設置面に設置するときに、スタンドを収納した状態、およびスタンドを引き起こした状態のいずれの状態においても、表示部の視認性を向上させるのが困難となっている。
【０００４】
この場合、従来の測定器では、スタンドを収納した状態においては、正面パネルが真横向きとなるように設置（以下、「真横向きに設置」ともいう）したときに、収納状態のスタンドだけが設置面に接した非常に不安定な状態となる。また、本体部分からスタンドを引き起こした状態で真横向きに設置したとしても、本体部分の側面パネルが設置面に接するだけで、本体部分から引き起こしたスタンドが設置面に接触しないため、依然として非常に不安定な状態となる。このため、従来の測定器では、真横向きに設置したときに、本体部分が倒れたり、最悪の場合には、棚板上から落下したりするおそれがあり、これに起因して測定器の破損を招くことがあるという問題点がある。一方、本体部分の側面パネル（真横向きに設置した状態において設置面に接する面）を幅広に形成することで、真横向きに設置した状態における測定器の安定性を向上させる構成が考えられる。しかしながら、このような構成を採用したときには、正面パネルを上向きにして設置する際に、幅広に形成されている側面パネルが邪魔になると共に、幅広に形成されている側面パネルの分だけ上記の測定器よりも大型化する結果、収納時や携行時に広いスペースが必要となるという問題が生じる。
【０００５】
本発明は、かかる問題点に鑑みてなされたものであり、収納時や携行時、および正面パネルを上向きにした状態で設置する際に邪魔となる部位を存在させることなく、正面パネルを横向きにした状態で設置したときに安定性を向上し得る測定装置を提供することを主目的とする。
【課題を解決するための手段】
【０００６】
上記目的を達成すべく請求項１記載の測定装置は、正面パネルに表示部が配設された装置本体と、当該装置本体を支持する複数の支持部材とを備えて、前記正面パネルを上向きにした状態で前記各支持部材によって前記装置本体を支持する第１の設置姿勢と、前記正面パネルを横向きにした状態で前記各支持部材によって前記装置本体を支持する第２の設置姿勢との少なくとも２つの姿勢で当該装置本体を設置可能に構成された測定装置であって、前記各支持部材が、前記装置本体の背面パネルに取り付けられた背面側部材を備え、当該各支持部材のうちの少なくとも前記第２の設置姿勢において前記装置本体を支持する支持部材は、当該装置本体の前記正面パネルに取り付けられた正面側部材を備えると共に、当該背面パネルからの当該背面側部材の突出量、および当該正面パネルからの当該正面側部材の突出量の少なくとも一方を調整することで当該背面側部材において当該第２の設置姿勢で設置面に接する部位と当該正面側部材において当該第２の設置姿勢で当該設置面に接する部位との間の長さを調節可能に構成されている。なお、本発明における「正面パネルを上向きにした状態」には、「正面パネルを真上向きにした状態」だけでなく「正面パネルを斜め上向き（真上向きよりもやや横向き）にした状態」が含まれる。また、本発明における「正面パネルを横向きにした状態」には、「正面パネルを真横向きにした状態」だけでなく「正面パネルを斜め横向き（真横向きよりもやや上向き）にした状態」が含まれる。
【０００７】
また、請求項２記載の測定装置は、請求項１記載の測定装置において、少なくとも前記第２の設置姿勢において前記装置本体を支持する前記支持部材が、前記背面パネルからの前記背面側部材の突出量、および前記正面パネルからの前記正面側部材の突出量の双方を調整可能に構成されている。
【０００８】
さらに、請求項３記載の測定装置は、請求項１または２記載の測定装置において、少なくとも前記第２の設置姿勢において前記装置本体を支持する前記支持部材の前記背面側部材が、前記装置本体に形成された背面側取付部に対して着脱自在に構成され、前記背面側部材の取り付け位置を前記第２の設置姿勢における上下方向で調整可能に複数の前記背面側取付部が前記装置本体の前記背面パネルに形成されている。
【０００９】
また、請求項４記載の測定装置は、請求項３記載の測定装置において、前記正面側部材のうちの少なくとも１つが、前記装置本体に形成された正面側取付部および側面側取付部に対して着脱自在に構成され、前記少なくとも１つの正面側部材を着脱可能な前記正面側取付部が前記装置本体の前記正面パネルに形成されると共に、前記少なくとも１つの正面側部材を着脱可能な前記側面側取付部が当該装置本体における前記第２の設置姿勢において前記設置面と対向する側面パネルに形成されている。
【００１０】
さらに、請求項５記載の測定装置は、請求項１から４のいずれかに記載の測定装置において、少なくとも前記第２の設置姿勢において前記装置本体を支持する前記支持部材が、前記第２の設置姿勢における前記正面パネルの上下方向の中心と前記背面側部材において当該第２の設置姿勢で前記設置面に接する部位との当該正面パネルの延在方向に沿った第１の長さよりも、前記正面パネルの上下方向の中心と前記正面側部材において前記第２の設置姿勢で前記設置面に接する部位との当該正面パネルの延在方向に沿った第２の長さの方が長くなるように形成されている。
【００１１】
また、請求項６記載の測定装置は、請求項１から５のいずれかに記載の測定装置において、前記支持部材が取り付けられた前記装置本体を収容可能に構成されると共に、前記各背面側部材の少なくとも先端部を嵌め込み可能な嵌入穴が一面に形成された収容ケースを備えている。
【発明の効果】
【００１２】
請求項１記載の測定装置によれば、各支持部材が装置本体の背面パネルに取り付けられた背面側部材を備え、かつ、各支持部材のうちの少なくとも第２の設置姿勢において装置本体を支持する支持部材が、装置本体の正面パネルに取り付けられた正面側部材を備えると共に、背面パネルからの背面側部材の突出量、および正面パネルからの正面側部材の突出量の少なくとも一方を調整することで、背面側部材において第２の設置姿勢で設置面に接する部位と正面側部材において第２の設置姿勢で設置面に接する部位との間の長さを調節可能に構成したことにより、第１の設置姿勢で設置する際に邪魔となるような幅広の側面パネルを設けることなく、第２の設置姿勢で設置する際に、背面パネルからの背面側部材の突出量、および正面パネルからの正面側部材の突出量の少なくとも一方を大きくしておく（背面側部材および正面側部材の少なくとも一方を正面パネルから離間させるように移動させておく：背面側部材において第２の設置姿勢で設置面に接する部位と正面側部材において第２の設置姿勢で設置面に接する部位との間の長さを長くしておく）ことで、装置本体の設置状態における安定性を向上させることができる結果、装置本体が転倒したり、落下したりする事態を回避することができるため、転倒や落下に起因する測定装置の破損を回避することができる。また、この測定装置によれば、収納時、搬送時、および第１の設置姿勢で設置する際に、背面パネルからの背面側部材の突出量、および正面パネルからの正面側部材の突出量の少なくとも一方を小さくしておく（背面側部材および正面側部材の上記の少なくとも一方を正面パネルに対して接近させるように移動させておく：背面側部材において第２の設置姿勢で設置面に接する部位と正面側部材において第２の設置姿勢で設置面に接する部位との間の長さを短くしておく）ことで、全体として、コンパクトにすることができる。
【００１３】
また、請求項２記載の測定装置によれば、少なくとも第２の設置姿勢において装置本体を支持する支持部材を、背面パネルからの背面側部材の突出量、および正面パネルからの正面側部材の突出量の双方を調整可能に構成したことにより、例えば、正面パネルに正面側部材を固定的に取り付けた構成や、背面パネルに対して背面側部材を固定的に取り付けた構成と比較して、背面側部材および正面側部材の双方の突出量を調整可能とした分だけ（背面側部材および正面側部材の双方を正面パネルに対して接離可能とした分だけ）、第２の設置姿勢で設置したときに、相互に十分に離間した状態の背面側部材および正面側部材によって装置本体を支持することができるため、第２の設置姿勢における装置本体を一層安定させることができる。
【００１４】
さらに、請求項３記載の測定装置によれば、装置本体に形成された背面側取付部に対して着脱自在に少なくとも第２の設置姿勢において装置本体を支持する支持部材の背面側部材を構成すると共に、背面側部材の取り付け位置を第２の設置姿勢における上下方向で調整可能に複数の背面側取付部を装置本体の背面パネルに形成したことにより、背面側部材を下側の背面側取付部から取り外して、その背面側取付部よりも上側に設けられた背面側取付部に取り付けた状態で設置することで、装置本体における下側の側面パネルと、上側の背面側取付部に取り付けた背面側部材とで装置本体が支持される結果、正面パネルを斜め横向きに設置することができる。これにより、この測定装置によれば、例えば、利用者の目線の高さよりもやや低い設置面に設置した状態において、表示部の視認性を十分に向上させることができる。この場合、すべての背面側部材を装置本体から取り外し可能に構成することにより、必要に応じてこれらの部材を装置本体から取り外すだけで、取り外した部材の分だけ、測定装置を一層コンパクトな状態とすることができる。
【００１５】
また、請求項４記載の測定装置によれば、装置本体に形成された正面側取付部および側面側取付部に対して着脱自在に正面側部材のうちの少なくとも１つを構成し、かつ、上記の少なくとも１つの正面側部材を着脱可能な正面側取付部を装置本体の正面パネルに形成すると共に、上記の少なくとも１つの正面側部材を着脱可能な側面側取付部を装置本体における第２の設置姿勢において設置面と対向する側面パネルに形成したことにより、正面パネルが斜め横向きとなるように設置するときに、上側の背面側取付部に取り付けた背面側部材と側面側取付部に取り付けた正面側部材とによって装置本体を支持することができる結果、装置本体における側面パネルと上側の背面側取付部に取り付けた背面側部材とによって装置本体を支持する構成と比較して、装置本体を十分に安定させることもできる。この場合、すべての正面側部材を装置本体から取り外し可能に構成することにより、必要に応じてこれらの部材を装置本体から取り外すだけで、取り外した部材の分だけ、測定装置を一層コンパクトな状態とすることができる。
【００１６】
さらに、請求項５記載の測定装置によれば、第２の設置姿勢における正面パネルの上下方向の中心と背面側部材において第２の設置姿勢で設置面に接する部位との正面パネルの延在方向に沿った第１の長さよりも、正面パネルの上下方向の中心と正面側部材において第２の設置姿勢で設置面に接する部位との正面パネルの延在方向に沿った第２の長さの方が長くなるように少なくとも第２の設置姿勢において装置本体を支持する支持部材を構成したことにより、背面側部材および正面側部材によって装置本体を支持するように設置するだけで、正面パネルを斜め横向きにすることができるため、例えば、利用者の目線の高さよりもやや低い設置面に設置した状態において、表示部の視認性を十分に向上させることができる。
【００１７】
また、請求項６記載の測定装置によれば、支持部材を取り付けた装置本体を収容可能に構成されると共に、各支持部材の背面側部材の少なくとも先端部を嵌め込み可能な嵌入穴が一面に形成された収容ケースを備えたことにより、例えば、砂地や草原などの不安定な設置面に設置する際に、この設置面の上に収容ケースを載置すると共に、その収容ケースの各嵌入穴に背面側部材の先端部を嵌入するようにして設置することで、不安定な設置面の上に装置本体を安定させた状態で設置することができる。
【発明を実施するための最良の形態】
【００１８】
以下、本発明に係る測定装置の最良の形態について、添付図面を参照して説明する。
【００１９】
図１に示す測定装置１は、本発明に係る測定装置の一例であって、その四隅に支持部材３（後述する背面側部材２１および正面側部材２２）が取り付けられた装置本体２と、収納時や携行時において支持部材３を取り付けた状態の装置本体２を収容する収容ケース４とを備えている。装置本体２では、筐体２ａ内に測定回路等（図示せず）が収容されると共に、その正面パネル１１には、表示部１１ａおよび操作部１１ｂが配設されている。この場合、表示部１１ａは、一例として、液晶パネルを備えて各種表示画面を表示可能に構成されている。また、筐体２ａの４つの側面パネル１３には、一例としてエラストマー樹脂等の弾性材料がコーティングされてプロテクタ２ｂが形成されている。なお、本発明についての説明の理解を容易とするために、以下、装置本体２の各側面パネル１３のうちの表示部１１ａに対して下側に位置する側面パネル１３を側面パネル１３ａともいう。
【００２０】
また、図３に示すように、装置本体２の背面パネル１２には、支持部材３（背面側部材２１）を取り付けるための複数のねじ穴１５ａ１，１５ａ２，１５ｂ１，１５ｂ２（本発明における「背面側取付部」の一例）が形成されている。この場合、ねじ穴１５ａ１，１５ｂ１は、装置本体２の四隅に設けられている。また、ねじ穴１５ａ２，１５ｂ２は、上記のねじ穴１５ａ１，１５ｂ１よりもやや内側（背面パネル１２の中心寄り）に設けられている。この場合、ねじ穴１５ａ２は、ねじ穴１５ａ１に対して、本発明における「第２の設置姿勢における正面パネルの上下方向」の上側に位置するように形成されている。
【００２１】
さらに、図２に示すように、装置本体２の正面パネル１１には、四隅に支持部材３（正面側部材２２）を取り付けるための複数のねじ穴１６ａ，１６ａ，１６ｂ，１６ｂ（本発明における「正面側取付部」の一例）が形成されている。この場合、ねじ穴１６ａは、装置本体２の厚み方向（正面パネル１１および背面パネル１２の対向方向）において上記のねじ穴１５ａ１と重なる位置に設けられ、ねじ穴１６ｂは、装置本体２の厚み方向において上記のねじ穴１５ｂ１と重なる位置に設けられている。また、図１，２に示すように、装置本体２の側面パネル１３ａ（本発明における「第２の設置姿勢において設置面と対向する側面パネル」）には、上記のねじ穴１６ａ，１６ａ，１６ｂ，１６ｂのいずれかから取り外した正面側部材２２を取り付け可能な一対のねじ穴１７，１７（本発明における「側面側取付部」の一例）が形成されている。
【００２２】
一方、図１，２に示すように、支持部材３は、装置本体２に対して着脱自在に構成された背面側部材２１および正面側部材２２を備えている。背面側部材２１は、装置本体２のねじ穴１５ａ１，１５ａ２，１５ｂ１，１５ｂ２に取り付けられた状態において装置本体２の背面側に突出させられる。なお、この測定装置１では、通常は、ねじ穴１５ａ１，１５ｂ１に各背面側部材２１がねじ込まれている。また、正面側部材２２は、装置本体２のねじ穴１６ａ，１６ｂに取り付けられた状態において装置本体２の正面側に突出させられる。この場合、図２に示すように、背面側部材２１には、装置本体２に取り付けるためのねじが植設されて、このねじを上記のねじ穴１５ａ１，１５ａ２，１５ｂ１，１５ｂ２にねじ込むことによって正面パネル１１に対する接離方向に沿って移動可能に構成されている。また、正面側部材２２には、装置本体２に取り付けるためのねじが植設されて、このねじを上記のねじ穴１６ａ，１６ｂにねじ込むことによって正面パネル１１に対する接離方向に沿って移動可能に構成されている。
【００２３】
この測定装置１では、図４に示すように、上記の４つの支持部材３のすべて（４つの背面側部材２１）によって装置本体２を支持するように設置面Ｚ上に設置することにより、正面パネル１１を上向き（同図では真上向き）にした状態（本発明における「第１の設置姿勢」で使用することができるように構成されている。また、この測定装置１では、図６に示すように、４つの支持部材３のうちの２つの支持部材３（背面側部材２１および正面側部材２２）によって装置本体２を支持するように設置面Ｚ上に設置することにより、正面パネル１１を横向き（同図では真横向き）にした状態（本発明における「第２の設置姿勢」で設置した状態の一例）で使用することができるように構成されている。この場合、この測定装置１では、正面パネル１１を真横向きにした状態において設置面Ｚに接触する２つの支持部材３（側面パネル１３ａの左右両側の角部に取り付けられている支持部材３）が本発明における「少なくとも第２の設置姿勢において装置本体を支持する支持部材」に相当する。
【００２４】
また、この測定装置１では、装置本体２に対する背面側部材２１のねじ込み量を調整することで、背面パネル１２からの背面側部材２１の突出量を無段階で調整することができると共に、装置本体２に対する正面側部材２２のねじ込み量を無段階で調整することで、正面パネル１１からの正面側部材２２の突出量を調整することができる。これにより、この測定装置１では、背面側部材２１および正面側部材２２の装置本体２に対するねじ込み量を適宜変更することにより、正面パネル１１が真横向きとなるように設置した際に両支持部材３が設置面Ｚに接する部位のうちの背面側端部Ｐｒ（背面側部材２１の一点：本発明における「背面側部材において第２の設置姿勢で設置面に接する部位」の一例」）と正面側端部Ｐｆ（正面側部材２２の先端部側の一点：本発明における「正面側部材において第２の設置姿勢で設置面に接する部位」の一例」）との間の長さを無段階で調整することが可能となっている。
【００２５】
具体的には、上記の背面側端部Ｐｒおよび正面側端部Ｐｆ間の長さは、背面側部材２１および正面側部材２２の双方を完全にねじ込んだ状態（図６に破線で示す状態）の長さＬ１から、背面側部材２１および正面側部材２２の双方のねじ込み量を小さくした状態（同図に実線で示す状態）の長さＬ２までの範囲内において適宜調整することが可能となっている。なお、図６では、正面パネル１１を真横向きにした状態で下側に位置する２つの支持部材３（側面パネル１３ａ側の２つの支持部材３：以下、この２つの支持部材３を「下側の支持部材３」ともいう）における背面側部材２１および正面側部材２２のねじ込み量を調整した状態について図示しているが、この測定装置１では、正面パネル１１を真横向きにした際に上側に位置する支持部材３（以下、この２つの支持部材３を「上側の支持部材３」ともいう）についても、上記の下側の支持部材３と同様にして、背面側部材２１および正面側部材２２のねじ込み量を調整することが可能となっている（図２参照）。
【００２６】
したがって、この測定装置１では、図５に示すように、例えば、下側の２つの支持部材３における背面側部材２１の装置本体２に対するねじ込み量を大きくする（一例として、完全にねじ込む）と共に、上側の２つの支持部材３における背面側部材２１の装置本体２に対するねじ込み量を小さくすることによって下側の背面側部材２１よりも上側の背面側部材２１を背面パネル１２から大きく突出させ、この状態で各背面側部材２１によって装置本体２を支持するように設置することにより、正面パネル１１を斜め上向き（真上向きよりもやや横向き）にして使用することが可能となっている。また、この状態において、上側の２つの支持部材３における背面側部材２１の装置本体２に対するねじ込み量（上側の２つの背面側部材２１の突出量）、および下側の２つの支持部材３における背面側部材２１の装置本体２に対するねじ込み量（下側の２つの背面側部材２１の突出量）のいずれかを調整することにより、設置面Ｚに対する正面パネル１１の傾きを調整することも可能となっている。
【００２７】
また、この測定装置１では、前述したように、ねじ穴１５ａ１，１５ｂ１よりもねじ穴１５ａ２，１５ｂ２の方が背面パネル１２の中心寄りに形成されている。したがって、下側の２つの支持部材３における背面側部材２１を装置本体２のねじ穴１５ａ１，１５ａ１から取り外してねじ穴１５ａ２，１５ａ２に取り付けることにより（「背面側部材の取り付け位置を第２の設置姿勢における上下方向で調整する」との作業の一例）、図７に示すように、装置本体２の側面パネル１３ａ側の角部と、ねじ穴１５ａ２，１５ａ２に取り付けた背面側部材２１，２１とによって装置本体２を支持して正面パネル１１を斜め横向き（真横向きよりもやや上向き）にして使用することが可能となっている。
【００２８】
一方、図１に示すように、収容ケース４は、ケース本体４ａおよび蓋４ｂを備えて、支持部材３を取り付けた状態の装置本体２を収容可能に構成されている。この場合、蓋４ｂの表面（同図における上面）には、装置本体２のねじ穴１５ａ１，１５ｂ１に取り付けられた状態の各背面側部材２１の全体（本発明における「背面側部材の少なくとも先端部」が全体である構成の例）を嵌め込み可能な４つの嵌入穴３１が設けられると共に、各背面側部材２１を各嵌入穴３１に嵌め込んだ状態において装置本体２における背面パネル１２側を嵌め込み可能な凹部３２が設けられている。これにより、図１０に示すように、この測定装置１では、収容ケース４から取り出した装置本体２（支持部材３が取り付けられている状態の装置本体２）を収容ケース４の蓋４ｂに嵌め込んで装置本体２、支持部材３および収容ケース４を一体化させることが可能となっている。
【００２９】
この測定装置１では、収納時や携行時においては、支持部材３を取り付けた状態の装置本体２を収容ケース４に収容する。この際には、図４に実線で示すように、４つの支持部材３のすべてにおいて、装置本体２に対するねじ込み量が最も大きくなるように背面側部材２１および正面側部材２２をねじ込む（背面側部材２１および正面側部材２２を完全にねじ込む）。なお、以下、特に説明しない場合には、同図に示すように、上記の各背面側部材２１が、ねじ穴１５ａ１，１５ｂ１にねじ込まれて装置本体２に取り付けられ、かつ正面側部材２２が、ねじ穴１６ａ，１６ｂにねじ込まれて装置本体２に取り付けられているものとする。これにより、背面パネル１２からの背面側部材２１の突出量、および正面パネル１１からの正面側部材２２の突出量が最も小さくなり（背面側部材２１および正面側部材２２が正面パネル１１に最も接近した状態となり）、各支持部材３が取り付けられた状態の装置本体２が最もコンパクトな状態となる。したがって、背面パネル１２から突出させられている背面側部材２１や正面パネル１１から突出させられている正面側部材２２が邪魔となる事態が回避される。
【００３０】
この場合、前述したように、この測定装置１では、背面側部材２１および正面側部材２２を装置本体２から取り外すことが可能となっている。したがって、４つの背面側部材２１および４つの正面側部材２２のすべてを装置本体２から取り外すことにより、背面パネル１２や正面パネル１１から突出する部材がなくなるため、装置本体２に対して背面側部材２１および正面側部材２２を完全にねじ込んだ上記の状態よりも一層コンパクトな状態とすることができる。また、測定装置２から取り外した背面側部材２１および正面側部材２２を装置本体２と共に携行することにより、必要に応じて背面側部材２１および正面側部材２２を装置本体２に取り付けて、後述する各種の使用形態で使用することができる。
【００３１】
一方、装置本体２を例えば床面等に設置して使用する際（利用者の目線の高さよりも低い設置面Ｚに設置する際）には、各背面側部材２１および各正面側部材２２のねじ込み量を最も大きくした状態（収納時や携行時の状態）のままで、４つの背面側部材２１によって装置本体２を支持するように設置する。この際には、正面パネル１１が真上向きとなるため、図４に示す矢印の向きからの表示部１１ａの視認性および操作部１１ｂの操作性が良好な状態となる。この結果、床面等に設置した装置本体２（測定装置１）を使用した各種の測定処理を確実かつ容易に実行することが可能となる。
【００３２】
この場合、利用者が同図の左側に位置しているときには、上側の２つの支持部材３（同図における右側の支持部材３）における背面側部材２１のねじ込み量を小さくする（上側の２つの背面側部材２１を正面パネル１１から離間する方向に移動させることによって背面パネル１２から背面側部材２１を大きく突出させる）。この状態で各背面側部材２１によって装置本体２を支持するように設置することにより、図５に示すように、正面パネル１１を斜め上向きに傾けて使用することが可能となる。この状態では、同図に示す矢印の向きからの表示部１１ａの視認性および操作部１１ｂの操作性が良好な状態となる結果、床面等に設置した装置本体２（測定装置１）を使用した各種の測定処理を一層確実かつ容易に実行することが可能となる。
【００３３】
この場合、この測定装置１では、正面パネル１１から正面側部材２２を突出させたことにより、正面パネル１１に落下物等が衝突する事故を回避することが可能となっている。具体的には、図４に示すように、例えば、装置本体２に対する各正面側部材２２のねじ込み量を最も大きくした状態（正面パネルに対して各正面側部材２２を最も接近させることによって正面パネル１１からの正面側部材２２の突出量を最も小さくした状態）では、正面側部材２２の突端面（同図における上面）が正面パネル１１の表面よりも高さＨ１だけ高くなっている。したがって、装置本体２上に落下した落下物が各正面側部材２２の突端面に接触して止まる結果、正面パネル１１に落下物が衝突する事態が回避される。これにより、落下物が衝突して表示部１１ａや操作部１１ｂが破損する事態が回避される。
【００３４】
また、この測定装置１では、同図に破線で示すように、４つの支持部材３のすべてにおいて正面側部材２２のねじ込み量を小さくした状態（正面パネルに対して各正面側部材２２を離間させることによって正面パネル１１からの正面側部材２２の突出量を大きくした状態）では、各正面側部材２２の突端面と正面パネル１１との間の高さＨ２が上記の高さＨ１よりも一層高くなる。したがって、装置本体２上に落下した落下物が正面パネル１１に衝突する事態が一層確実に回避される。なお、前述したように、正面パネル１１を斜め上向きに傾けた状態（図５参照）においても、正面パネル１１を真上向きにした状態と同様にして、この正面側部材２２によって装置本体２（正面パネル１１の表示部１１ａや操作部１１ｂ）が落下物から保護される。
【００３５】
さらに、この測定装置１では、装置本体２に対する正面側部材２２のねじ込み量に応じて、上記のように、正面側部材２２の突端面が正面パネル１１の表面よりも高さＨ１〜Ｈ２の範囲内で高くなる。したがって、例えば、装置本体２を誤って表裏逆さまに設置してしまったとき（正面パネル１１が下向きとなるように設置してしまったとき）に設置面と正面パネル１１の表面との間に、正面側部材２２のねじ込み量に応じて高さＨ１〜Ｈ２の範囲内の十分な高さの隙間が生じる。このため、設置面の上に筆記具や工具等が載置されていたとしても、これらが正面パネル１１に接触して表示部１１ａに傷付きが生じたり操作部１１ｂの操作スイッチが誤って操作される事態が回避される。
【００３６】
また、装置本体２（測定装置１）を利用者の目線の高さと同等の高さ、または、利用者の目線の高さよりもやや高い高さの設置面Ｚに設置する際には、図６に示すように、上側の支持部材３における背面側部材２１および正面側部材２２のねじ込み量を大きくする（一例として、完全にねじ込む）と共に、下側の支持部材３における背面側部材２１および正面側部材２２のねじ込み量を小さくした状態（正面パネル１１に対して下側の支持部材３における背面側部材２１および正面側部材２２を十分に離間させた状態）において、下側の２つの支持部材３における背面側部材２１および正面側部材２２によって装置本体２を支持するように設置する。この際には、正面パネル１１が真横向きとなるため、同図に示す矢印の向きからの表示部１１ａの視認性および操作部１１ｂの操作性が良好な状態となる。この結果、棚板上等に設置した装置本体２（測定装置１）を使用した各種の測定処理を確実かつ容易に実行することが可能となる。
【００３７】
この場合、この測定装置１では、下側の２つの支持部材３における背面側部材２１および正面側部材２２の装置本体２に対するねじ込み量を十分に小さくした状態（背面側部材２１および正面側部材２２が正面パネル１１から十分に離間した状態）で設置面Ｚ上に設置することにより、この２つの支持部材３における背面側部材２１および正面側部材２２を装置本体２に対した完全にねじ込んだ状態（背面側部材２１および正面側部材２２を正面パネル１１に接近させた状態）で設置した場合（図６に破線で示す状態）と比較して、背面側部材２１および正面側部材２２の間の長さ（背面側端部Ｐｒおよび正面側端部Ｐｆの間の長さ）が十分に長くなっている。具体的には、背面側部材２１および正面側部材２２を完全にねじ込んだ状態（同図に破線で示す状態）で設置したときの背面側端部Ｐｒおよび正面側端部Ｐｆ間の長さＬ１よりも、背面側部材２１および正面側部材２２のねじ込み量を小さくした状態（同図に実線で示す状態）で設置したときの背面側端部Ｐｒおよび正面側端部Ｐｆ間の長さＬ２の方が長くなっている。
【００３８】
したがって、装置本体２が薄厚である（側面パネル１３ａが幅狭である）にも拘わらず、この側面パネル１３ａを下向きにして設置する際に、正面パネル１１に対してそれぞれ十分に離間した背面側部材２１および正面側部材２２によって装置本体２が支持される結果、例えば背面側部材２１および正面側部材２２を完全にねじ込んだ状態（収納時や携行時の状態）で設置した場合と比較して、装置本体２が十分に安定した状態となる。この結果、例えば同図における左右方向での揺れに起因して装置本体２が倒れる事態が回避される。
【００３９】
一方、装置本体２（測定装置１）を利用者の目線の高さよりもやや低い設置面Ｚに設置する際（例えば、机上に装置本体２を設置して利用者が椅子に座って測定処理を実行するとき）には、下側の２つの支持部材３における背面側部材２１をねじ穴１５ａ１から取り外して１５ａ２にねじ込んで取り付ける。この際に、ねじ穴１５ａ１よりもねじ穴１５ａ２の方が背面パネル１２の中心寄り（第２の設置姿勢における上下方向の上側）に形成されているため、このねじ穴１５ａ２に背面側部材２１をねじ込むことにより、ねじ穴１５ａ１にねじ込んでいたときよりも背面側部材２１が背面パネル１２の中心寄り（上側）に取り付けられた状態となる。
【００４０】
次いで、図７に示すように、ねじ穴１５ａ２にねじ込んだ背面側部材２１と装置本体２における側面パネル１３ａ側の角部とを設置面Ｚに接触させるようにして測定装置１（装置本体２）を設置する。これにより、同図に示すように、ねじ穴１５ａ２にねじ込んだ背面側部材２１と装置本体２における側面パネル１３ａ側の角部とによって装置本体２が支持されて正面パネル１１が斜め横向きとなるため、同図に示す矢印の向きからの表示部１１ａの視認性および操作部１１ｂの操作性が良好な状態となる。この結果、机上等に設置した装置本体２（測定装置１）を使用した各種の測定処理を確実かつ容易に実行することが可能となる。
【００４１】
この場合、背面側部材２１をねじ穴１５ａ２にねじ込むことによって正面パネル１１を斜め横向きにした状態で長期に亘って使用する際には、一例として、図８に示すように、装置本体２のねじ穴１６ａ，１６ａから正面側部材２２を取り外して、側面パネル１３ａに形成されたねじ穴１７，１７に正面側部材２２をねじ込む。この状態では、ねじ穴１５ａ２にねじ込んだ背面側部材２１とねじ穴１７にねじ込んだ正面側部材２２とによって正面パネル１１が斜め横向きとなった状態で装置本体２が支持されるため、同図に示す矢印の向きからの表示部１１ａの視認性および操作部１１ｂの操作性が良好な状態を維持しつつ、装置本体２を安定させることが可能となる。
【００４２】
また、この測定装置１では、下側の２つの支持部材３だけでなく、上側の２つの支持部材３における背面側部材２１をねじ穴１５ｂ１から取り外して１５ｂ２にねじ込むことにより、図９に示すように、ねじ穴１５ａ２にねじ込んだ２つの背面側部材２１、およびねじ穴１５ｂ２にねじ込んだ２つの背面側部材２１によって装置本体２を支持するように設置することが可能となっている。この場合、ねじ穴１５ａ２と同様にして、上側の２つの支持部材３における背面側部材２１をねじ込んだねじ穴１５ｂ２もねじ穴１５ｂ１よりも背面パネル１２の中心寄り（第２の設置姿勢における下側）に形成されているため、このねじ穴１５ｂ１にねじ込んでいたときよりも背面側部材２１が背面パネル１２の中心寄り（下側：同図では左側）に取り付けられた状態となる。したがって、ねじ穴１５ａ２，１５ｂにねじ込んだ各背面側部材２１によって装置本体２を支持することで、同図に示すように、設置面Ｚが比較的狭い場合においても、各背面側部材２１を設置面Ｚに対して確実に接触させた状態で装置本体２を設置することが可能となる。
【００４３】
さらに、この測定装置１では、例えば屋外の砂地や草原等に測定装置１（装置本体２）を設置する際に、収容ケース４における蓋４ｂの上に装置本体２を設置して使用することが可能となっている。この場合、前述したように、収容ケース４の蓋４ｂには、装置本体２に取り付けられた各支持部材３の背面側部材２１を嵌入可能な嵌入穴３１が形成されている。したがって、図１０に示すように、各嵌入穴３１内に各支持部材３の背面側部材２１を嵌入するようにして装置本体２を収容ケース４（蓋４ｂ）上に設置することで、支持部材３を介して設置した装置本体２が収容ケース４と一体化する結果、収容ケース４上から装置本体２が落下する事態が回避される。また、砂地や草原等に装置本体２を直接設置した状態（砂地や草原等に各支持部材３の背面側部材２１が接するように設置した状態）と比較して、装置本体２や支持部材３の汚れが回避されるだけでなく、収容ケース４の広い底面が砂地や草原等に接することで、収容ケース４を介して装置本体２および支持部材３を安定させた状態で設置することが可能となっている。
【００４４】
このように、この測定装置１によれば、各支持部材３が装置本体２の背面パネル１２に取り付けられた背面側部材２１を備え、かつ、各支持部材３のうちの少なくとも第２の設置姿勢（正面パネル１１を横向きにした状態）において装置本体２を支持する支持部材３（この例では、すべての支持部材３）が、装置本体２の正面パネル１１に取り付けられた正面側部材２２を備えると共に、背面パネル１２からの背面側部材２１の突出量、および正面パネル１１からの正面側部材２２の突出量の少なくとも一方を調整することで、背面側部材２１において第２の設置姿勢で設置面Ｚに接する部位（背面側端部Ｐｒ）と正面側部材２２において第２の設置姿勢で設置面Ｚに接する部位（正面側端部Ｐｆ）との間の長さを調節可能に構成したことにより、第１の設置姿勢で設置する際に邪魔となるような幅広の側面パネルを設けることなく、第２の設置姿勢で設置する際に、背面パネル１２からの背面側部材２１の突出量、および正面パネル１１からの正面側部材２２の突出量の少なくとも一方を大きくしておく（背面側部材２１および正面側部材２２の少なくとも一方を正面パネル１１から離間させるように移動させておく：背面側端部Ｐｒと正面側端部Ｐｆとの間の長さを長くしておく）ことで、装置本体２の設置状態における安定性を向上させることができる結果、装置本体２が転倒したり、落下したりする事態を回避することができるため、転倒や落下に起因する測定装置１の破損を回避することができる。また、この測定装置１によれば、収納時、搬送時、および第１の設置姿勢で設置する際に、背面パネル１２からの背面側部材２１の突出量、および正面パネル１１からの正面側部材２２の突出量の少なくとも一方を小さくしておく（背面側部材２１および正面側部材２２の上記の少なくとも一方を正面パネル１１に対して接近させるように移動させておく：背面側端部Ｐｒと正面側端部Ｐｆとの間の長さを短くしておく）ことで、全体として、コンパクトにすることができる。
【００４５】
また、この測定装置１によれば、少なくとも第２の設置姿勢において装置本体２を支持する支持部材３（下側の支持部材３：この例では、すべての支持部材３）を、背面パネル１２からの背面側部材２１の突出量、および正面パネル１１からの正面側部材２２の突出量の双方を調整可能に構成したことにより、例えば、正面パネル１１に正面側部材２２を固定的に取り付けた構成や、背面パネル１２に対して背面側部材２１を固定的に取り付けた構成と比較して、背面側部材２１および正面側部材２２の双方の突出量を調整可能とした分だけ（背面側部材２１および正面側部材２２の双方を正面パネル１１に対して接離可能とした分だけ）、第２の設置姿勢で設置したときに、相互に十分に離間した状態の背面側部材２１および正面側部材２２によって装置本体２を支持することができるため、第２の設置姿勢における装置本体２を一層安定させることができる。
【００４６】
さらに、この測定装置１によれば、装置本体２に形成された背面側取付部（ねじ穴１５ａ１，１５ａ２，１５ｂ１，１５ｂ２）に対して着脱自在に少なくとも第２の設置姿勢において装置本体２を支持する支持部材３（下側の支持部材３：この例では、すべての支持部材３）の背面側部材２１を構成すると共に、背面側部材２１の取り付け位置を第２の設置姿勢における上下方向で調整可能に複数の背面側取付部（ねじ穴１５ａ１，１５ａ２，１５ｂ１，１５ｂ２）を装置本体２の背面パネル１２に形成したことにより、背面側部材２１をねじ穴１５ａ１から取り外してねじ穴１５ａ１よりも上側に設けられたねじ穴１５ａ２に取り付けた状態で設置することで、装置本体２における下側の側面パネル１３（この例では、側面パネル１３ａ）と、ねじ穴１５ａ２に取り付けた背面側部材２１とで装置本体２が支持される結果、正面パネル１１を斜め横向きに設置することができる。これにより、この測定装置１によれば、例えば、利用者の目線の高さよりもやや低い設置面Ｚに設置した状態において、表示部１１ａの視認性や操作部１１ｂの操作性を十分に向上させることができる。この場合、すべての背面側部材２１を装置本体２から取り外し可能に構成することにより、必要に応じてこれらの部材を装置本体２から取り外すだけで、取り外した部材の分だけ、測定装置１を一層コンパクトな状態とすることができる。
【００４７】
また、この測定装置１によれば、装置本体２に形成された正面側取付部（ねじ穴１６ａ，１６ｂ）および側面側取付部（ねじ穴１７）に対して着脱自在に正面側部材２２のうちの少なくとも１つ（この例では、すべて）を構成し、かつ、正面側部材２２を着脱可能な正面側取付部（ねじ穴１６ａ，１６ｂ）を装置本体２の正面パネル１１に形成すると共に、正面側部材２２を着脱可能な側面側取付部（ねじ穴１７）を装置本体２における第２の設置姿勢において設置面Ｚと対向する側面パネル１３ａに形成したことにより、正面パネル１１が斜め横向きとなるように設置するときに、ねじ穴１５ａ２にねじ込んだ背面側部材２１とねじ穴１７にねじ込んだ正面側部材２２とによって装置本体２を支持することができる結果、装置本体２における側面パネル１３ａとねじ穴１５ａ２に取り付けた背面側部材２１とによって装置本体２を支持する構成と比較して、装置本体２を十分に安定させることもできる。この場合、この測定装置１のように、すべての正面側部材２２を装置本体２から取り外し可能に構成することにより、必要に応じてこれらの部材を装置本体２から取り外すだけで、取り外した部材の分だけ、測定装置１を一層コンパクトな状態とすることができる。
【００４８】
さらに、この測定装置１によれば、支持部材３を取り付けた装置本体２を収容可能に構成されると共に、各支持部材３の背面側部材２１の少なくとも先端部を嵌め込み可能な嵌入穴３１が一面に形成された収容ケース４を備えたことにより、例えば、砂地や草原などの不安定な設置面Ｚに設置する際に、この設置面Ｚ上に収容ケース４を載置すると共に、その収容ケース４の各嵌入穴３１に支持部材３（背面側部材２１）を嵌入するようにして設置することで、不安定な設置面Ｚ上に装置本体２を安定させた状態で設置することができる。
【００４９】
なお、本発明は、上記の構成に限定されない。例えば、上記の測定装置１では、第２の設置姿勢における正面パネル１１の上下方向の中心Ｐｃ（図６参照）と背面側端部Ｐｒとの正面パネル１１の延在方向に沿った長さと、正面パネル１１の上下方向の中心Ｐｃと正面パネル１１正面側端部Ｐｆとの正面パネル１１の延在方向に沿った長さとが互いに等しくなるように少なくとも第２の設置姿勢において装置本体２を支持する支持部材３（この例では、下側の２つの支持部材３）が形成されているが、上記の中心Ｐｃと、背面側端部Ｐｒおよび正面側端部Ｐｆとの正面パネル１１の延在方向に沿った長さの関係はこれに限定されない。
【００５０】
具体的には、図１１に示す測定装置１Ａのように、第２の設置姿勢における正面パネル１１の上下方向の中心Ｐｃと背面側端部Ｐｒとの正面パネル１１の延在方向に沿った第１の長さ（長さＬｒ）よりも、正面パネル１１の上下方向の中心Ｐｃと正面側端部Ｐｆとの正面パネル１１の延在方向に沿った第２の長さ（長さＬｆ）の方が長くなるように少なくとも第２の設置姿勢において装置本体２を支持する支持部材３Ａ（同図における下側の支持部材３Ａ）を形成することができる。なお、この測定装置１Ａにおいて上記の測定装置１と同様の構成要素については、同一の符号を付して重複する説明を省略する。
【００５１】
この測定装置１Ａでは、上記の中心Ｐｃと背面側端部Ｐｒとの正面パネル１１の延在方向に沿った長さＬｒよりも、中心Ｐｃと正面側端部Ｐｆとの正面パネル１１の延在方向に沿った長さＬｆの方が長くなるように背面側部材２１ａおよび正面側部材２２が形成されて支持部材３Ａが構成されているため、この背面側部材２１ａ（背面側端部Ｐｒ）と正面側部材２２ａ（正面側端部Ｐｆ）とが設置面Ｚに接触するように設置することで、正面パネル１１を斜め横向き（真横向きよりもやや上向き）の状態にすることができる。これにより、同図に示す矢印の向きからの表示部１１ａの視認性および操作部１１ｂの操作性が良好な状態となるため、机上等に設置した装置本体２（測定装置１Ａ）を使用した各種の測定処理を確実かつ容易に実行することが可能となる。
【００５２】
また、この測定装置１Ａでは、図１２に示すように、前述した測定装置１と同様にして、下側の２つの支持部材３Ａにおける背面側部材２１ａおよび正面側部材２２ａの装置本体２に対するねじ込み量を小さくした状態で設置面Ｚ上に設置することにより、この２つの支持部材３Ａにおける背面側部材２１ａおよび正面側部材２２ａの装置本体２に対するねじ込み量を最も大きくした状態で設置面Ｚ上に設置した状態と比較して、背面側端部Ｐｒおよび正面側端部Ｐｆの間の長さＬ３を十分に長くすることができる。これにより、装置本体２が十分に安定した状態となるため、例えば同図における左右方向での揺れに起因して装置本体２が倒れる事態が回避される。
【００５３】
このように、この測定装置１Ａによれば、第２の設置姿勢における正面パネル１１の上下方向の中心Ｐｃと背面側部材２１ａにおいて第２の設置姿勢で設置面Ｚに接する部位（背面側端部Ｐｒ）との正面パネル１１の延在方向に沿った第１の長さ（長さＬｒ）よりも、正面パネル１１の上下方向の中心Ｐｃと正面側部材２２ａにおいて第２の設置姿勢で設置面Ｚに接する部位（正面側端部Ｐｆ）との正面パネル１１の延在方向に沿った第２の長さ（長さＬｆ）の方が長くなるように少なくとも第２の設置姿勢において装置本体２を支持する支持部材３Ａ（下側の２つの支持部材３Ａ：この例では、すべての支持部材３Ａ）を構成したことにより、背面側部材２１ａおよび正面側部材２２ａによって装置本体２を支持するように設置するだけで、正面パネル１１を斜め横向きにすることができるため、例えば、利用者の目線の高さよりもやや低い設置面Ｚに設置した状態において、表示部１１ａの視認性や操作部１１ｂの操作性を十分に向上させることができる。
【００５４】
また、この測定装置１Ａによれば、前述した測定装置１と同様にして、第１の設置姿勢で設置する際に邪魔となるような幅広の側面パネルを設けることなく、第２の設置姿勢で設置する際に、背面パネル１２からの背面側部材２１ａの突出量、および正面パネル１１からの正面側部材２２ａの突出量の少なくとも一方を大きくしておく（背面側部材２１ａおよび正面側部材２２ａの少なくとも一方を正面パネル１１から離間させるように移動させておく：背面側端部Ｐｒと正面側端部Ｐｆとの間の長さを長くしておく）ことで、装置本体２の設置状態における安定性を向上させることができる結果、装置本体２が転倒したり、落下したりする事態を回避することができるため、転倒や落下に起因する測定装置１Ａの破損を回避することができる。さらに、この測定装置１Ａによれば、収納時、搬送時、および第１の設置姿勢で設置する際に、背面パネル１２からの背面側部材２１ａの突出量、および正面パネル１１からの正面側部材２２ａの突出量の少なくとも一方を小さくしておく（背面側部材２１ａおよび正面側部材２２ａの上記の少なくとも一方を正面パネル１１に対して接近させるように移動させておく：背面側端部Ｐｒと正面側端部Ｐｆとの間の長さを短くしておく）ことで、全体として、コンパクトにすることができる。
【００５５】
また、装置本体２に取り付けられた４つの支持部材３における背面側部材２１を嵌入可能な４つの嵌入穴３１が蓋４ｂに形成された収容ケース４を有する測定装置１を例に挙げて説明したが、本発明はこれに限定されない。例えば、図１３に示す測定装置１Ｂのように、前述した測定装置１における嵌入穴３１に代えて、本発明における第２の設置姿勢において設置面に接する一対の支持部材３が嵌入可能な嵌入穴３３（本発明における背面側部材の少なくとも先端部を嵌め込み可能な嵌入穴の一例）を収容ケース４の蓋４ｂに形成することもできる。なお、この測定装置１Ｂおよび後述する測定装置１Ｃにおいて、前述した測定装置１と同様の機能を有する構成要素については、同一の符号を付して重複する説明を省略する。
【００５６】
この測定装置１Ｂでは、例えば屋外の砂地や草原等に測定装置１（装置本体２）を設置する際に、収容ケース４における蓋４ｂの上に装置本体２を第２の設置姿勢（この例では、正面パネル１１が真横向きとなる設置姿勢）で設置して使用することが可能となっている。具体的には、図１３に示すように、両嵌入穴３３内に側面パネル１３ａ側の一対の支持部材３を嵌入するようにして装置本体２を収容ケース４（蓋４ｂ）上に設置することで、支持部材３を介して設置した装置本体２が収容ケース４と一体化する。この結果、収容ケース４上から装置本体２が落下する事態が回避される。また、砂地や草原等に装置本体２を直接設置した状態と比較して、装置本体２や支持部材３の汚れが回避されるだけでなく、収容ケース４の広い底面が砂地や草原等に接することで、収容ケース４を介して装置本体２および支持部材３を安定させた状態で設置することが可能となっている。
【００５７】
さらに、収容ケース４の蓋４ｂに嵌入穴３１，３３を形成した測定装置１，１Ｂについて説明したが、本発明はこれに限定されず、図１４に示す測定装置１Ｃのように、収容ケース４のケース本体４ａにおける底面に、本発明における嵌入穴に相当する嵌入穴３１を形成したゴム脚４ｃを取り付ける構成を採用することができる。この測定装置１Ｃでは、各ゴム脚４ｃの嵌入穴３１に４つの支持部材３における各背面側部材２１の先端部を嵌入するようにして設置することにより、前述した測定装置１と同様にして、支持部材３を介して設置した装置本体２が収容ケース４のケース本体４ａ（ゴム脚４ｃ）と一体化する結果、収容ケース４上から装置本体２が落下する事態が回避される。
【００５８】
また、４つの支持部材３を有する測定装置１や、４つの支持部材３Ａを有する測定装置１Ａを例に挙げて説明したが、本発明における支持部材の数は４つに限定されず、２つ以上の任意の数の支持部材によって装置本体を支持する構成を採用することができる。この場合、支持部材の数が２つの構成としては、一例として、装置本体２の幅方向（正面パネル１１に配設された表示部１１ａの幅方向：例えば、図３に示す左右方向）に長い１つの支持部材を正面パネル１１の下側（測定装置１における側面パネル１３ａ側）に配設すると共に、例えば、上記の測定装置１における支持部材３、または測定装置１Ａにおける支持部材３Ａを装置本体２の上側の幅方向中央部に配設する構成が挙げられる。また、支持部材の数が３つの構成としては、一例として、上記の測定装置１における上側の２つの支持部材３に代えて１つの支持部材３を装置本体２の上側の幅方向中央部に配設する構成や、上記の測定装置１における下側の２つの支持部材３に代えて１つの支持部材３を装置本体２の下側の幅方向中央部に配設する構成が挙げられる。これらの構成においても、前述した測定装置１，１Ａと同様の効果を奏することができる。
【００５９】
また、４つの支持部材３のすべてにおいて背面パネル１２に対する背面側部材２１のねじ込み量、および正面パネル１１に対する正面側部材２２のねじ込み量を調整可能に構成した例について説明したが、各支持部材３のうちのいずれかまたはすべてにおいて正面パネル１１に対する正面側部材２２のねじ込み量の調整ができない構成（正面側部材２２が装置本体２と一体的に形成された構成）や、各支持部材３のうちのいずれかまたはすべてにおいて背面パネル１２に対する背面側部材２１のねじ込み量の調整ができない構成（  背面側部材２１が装置本体２と一体的に形成された構成）を採用することもできる。この場合、本発明における第２の設置姿勢において設置面Ｚに接する支持部材３については、上記の測定装置１，１Ａと同様にして、背面パネル１２に対する背面側部材２１のねじ込み量、および正面パネル１１に対する正面側部材２２のねじ込み量の双方を調整可能に構成するのが好ましい。
【００６０】
さらに、装置本体２に対するねじ込み量を調整することによって背面パネル１２からの背面側部材２１，２１ａの突出量や正面パネル１１からの正面側部材２２，２２ａの突出量を無段階で調整可能な（正面パネル１１に対する接離方向に沿った背面側部材２１，２１ａおよび正面側部材２２，２２ａの無段階の移動が可能な）測定装置１，１Ａについて説明したが、本発明はこれに限定されない。具体的には、一例として、上記の背面側部材２１，２１ａや正面側部材２２，２２ａに代えて背面パネル１２からの背面側部材の突出量、および正面パネル１１からの正面側部材の突出量を段階的に調整可能な伸縮機構（図示せず）を介して背面側部材および正面側部材を装置本体２に取り付ける構成を採用することができる。
【図面の簡単な説明】
【００６１】
【図１】測定装置１（装置本体２、支持部材３および収容ケース４）の外観斜視図である。
【図２】測定装置１における装置本体２および支持部材３の外観斜視図である。
【図３】装置本体２の背面図である。
【図４】４つの支持部材３における各背面側部材２１の装置本体２に対するねじ込み量を最も大きくした状態（各背面側部材２１を正面パネル１１に最も接近させた状態）で装置本体２を支持することによって正面パネル１１を真上向きにした状態（第１の設置姿勢）の測定装置１の側面図である。
【図５】４つの支持部材３における各背面側部材２１のうちの側面パネル１３ａ側の２つの装置本体２に対するねじ込み量を最も大きくする（下側の２つの支持部材３における背面側部材２１を正面パネル１１に最も接近させる）と共に、残りの２つの装置本体２に対するねじ込み量を小さくした状態（上側の２つの支持部材３における背面側部材２１を正面パネル１１から離間させた状態）で装置本体２を支持することによって正面パネル１１を斜め上向きにした状態（第１の設置姿勢）の測定装置１の側面図である。
【図６】４つの支持部材３のうちの側面パネル１３ａ側の２つにおける背面側部材２１および正面側部材２２の装置本体２に対するねじ込み量を小さくした状態（下側の２つの支持部材３における背面側部材２１および正面側部材２２を正面パネル１１から離間させた状態）でこの２つの支持部材３（背面側部材２１および正面側部材２２）によって装置本体２を支持することで正面パネル１１を真横向きにした状態（第２の設置姿勢）の測定装置１の側面図である。
【図７】４つの支持部材３のうちの側面パネル１３ａ側の２つにおける背面側部材２１をねじ穴１５ａ２にねじ込んだ状態でこの２つの支持部材３（背面側部材２１）と装置本体２の側面パネル１３ａ側の角部によって装置本体２を支持することで正面パネル１１を斜め横向きにした状態の測定装置１の側面図である。
【図８】図７に示す状態の測定装置１におけるねじ穴１６ａ，１６ａから取り外した正面側部材２２を側面パネル１３ａのねじ穴１７にねじ込むことにより、４つの支持部材３のうちの側面パネル１３ａ側の２つにおける背面側部材２１、および４つの支持部材３のうちの側面パネル１３ａ側の２つにおける正面側部材２２によって装置本体２を支持することで正面パネル１１を斜め横向きにした状態の測定装置１の側面図である。
【図９】４つの支持部材３における各背面側部材２１をねじ穴１５ａ２，１５ｂ２にねじ込んだ状態で装置本体２を支持することによって正面パネル１１を真上向きにした状態（第１の設置姿勢）の測定装置１の側面図である。
【図１０】収容ケース４における蓋４ｂの各嵌入穴３１に各支持部材３における背面側部材２１を嵌め込んだ状態の測定装置１（装置本体２、支持部材３および収容ケース４）の外観斜視図である。
【図１１】４つの支持部材３Ａにおける各背面側部材２１ａおよび各正面側部材２２ａの装置本体２に対するねじ込み量を最も大きくした状態（各背面側部材２１ａおよび各正面側部材２２ａを正面パネル１１に最も接近させた状態）で装置本体２を支持することによって正面パネル１１を斜め真上向きにした状態（第２の設置姿勢）の測定装置１Ａの側面図である。
【図１２】４つの支持部材３Ａにおける各背面側部材２１ａおよび正面側部材２２ａの装置本体２に対するねじ込み量を小さくした状態（各背面側部材２１ａおよび各正面側部材２２ａを正面パネル１１から離間させた状態）で装置本体２を支持することによって正面パネル１１を斜め真上向きにした状態（第２の設置姿勢）の測定装置１Ａの側面図である。
【図１３】収容ケース４における蓋４ｂの各嵌入穴３３に側面パネル１３ａ側の２つの支持部材３を嵌め込んだ状態の測定装置１Ｂ（装置本体２、支持部材３および収容ケース４）の外観斜視図である。
【図１４】収容ケース４におけるケース本体４ａの底面に取り付けられた各ゴム脚４ｃの嵌入穴３１に各支持部材３における背面側部材２１を嵌め込んだ状態の測定装置１Ｃ（装置本体２、支持部材３および収容ケース４）の外観斜視図である。
【符号の説明】
【００６２】
１，１Ａ〜１Ｃ  測定装置
２  装置本体
３，３Ａ  支持部材
４  収容ケース
４ｃ  ゴム脚
１１  正面パネル
１１ａ  表示部
１１ｂ  操作部
１２  背面パネル
１３，１３ａ  側面パネル
１５ａ１，１５ａ２，１５ｂ１，１５ｂ２，１６ａ，１６ｂ，１７  ねじ穴
２１，２１ａ  背面側部材
２２，２２ａ  正面側部材
３１，３３  嵌入穴
Ｌ１〜Ｌ３，Ｌｆ，Ｌｒ  長さ
Ｐｃ  中心
Ｐｆ  正面側端部
Ｐｒ  背面側端部
Ｚ  設置面
【図１】
0005203688.tif 000002
【図２】
0005203688.tif 000003
【図３】
0005203688.tif 000004
【図４】
0005203688.tif 000005
【図５】
0005203688.tif 000006
【図６】
0005203688.tif 000007
【図７】
0005203688.tif 000008
【図８】
0005203688.tif 000009
【図９】
0005203688.tif 000010
【図１０】
0005203688.tif 000011
【図１１】
0005203688.tif 000012
【図１２】
0005203688.tif 000013
【図１３】
0005203688.tif 000014
【図１４】
0005203688.tif 000015